(57)【要約】【課題】軽量化され、かつ、改札通路を明るくすることのできる自動改札機を提供する。【解決手段】自動改札機の本体を形成する筐体の改札通路側の一部に反対側に貫通する空間部を設ける。その空間部には、照明器具や植木鉢が設けられる。【選択図】      図１
2004192418.tif 000002
【特許請求の範囲】
【請求項１】
自動改札機の本体を形成する筐体の改札通路側の一部に反対側に貫通する空間部を設けたことを特徴とする自動改札機。
【請求項２】
請求項１に記載の自動改札機において、空間部に照明器具を設けたことを特徴とする自動改札機。
【請求項３】
請求項１に記載の自動改札機において、空間部には、所定の内容を案内する案内板を設けたことを特徴とする自動改札機。
【請求項４】
請求項３に記載の自動改札機において、案内板の内側に照明器具を設けたことを特徴とする自動改札機。
【請求項５】
請求項１に記載の自動改札機において、空間部には、立体的な造形物が配置されるものであることを特徴とする自動改札機。
【請求項６】
請求項１〜５のいずれかに記載の自動改札機において、自動改札機の本体は、無線通信機能を備えたＩＣカードからなる非接触券を処理する非接触式であることを特徴とする自動改札機。
【請求項７】
請求項１〜６のいずれかに記載の自動改札機において、自動改札機の本体は、双方向型であることを特徴とする自動改札機。
【発明の詳細な説明】
【０００１】
本発明は自動改札機に係り、特に、自動改札機の本体の軽量化と利用者に対する案内性を向上させたものに関する。
【０００２】
【従来の技術】
従来、自動改札機の本体の全体的な形状は、細長い直方体を呈している（例えば、特許文献１参照。）。そして、その自動改札機の本体を形成する筐体の改札通路の側面の入口側及び出口側には、改札通路を開閉するドアがそれぞれ設けられている。
【０００３】
【特許文献１】特開２００１−３１９２５１号公報（図２）
【０００４】
【発明が解決しようとする課題】
しかしながら、上記従来の自動改札機は、その自動改札機の本体を形成する筐体は、１個の空間の全くない直方体であるので、重量が大きくなり、その搬送や設置作業が大変であるとともに、一対の筐体を所定の間隔を保って形成される改札通路は、その一対の筐体で挾まれているために照明が行き届きにくいという欠点があった。さらに、改札通路側の筐体は、広い面積を占めるので、これを利用して利用者（旅客）へ何らかの案内を行いたいという要望があった。
【０００５】
そこで、本発明は、上記欠点を解決するためになされたものであって、その目的は、自動改札機の本体の重量を軽量化するとともに、改札通路を効果的に照明でき、さらに、改札通路側の筐体を有効利用できるようにした自動改札機を提供することにある。
【０００６】
【課題を解決するための手段】
本発明に係る自動改札機は、上記目的を達成するために、請求項１に記載の発明は、自動改札機の本体を形成する筐体の改札通路側の一部に反対側に貫通する空間部を設けたことを特徴としている。
本発明の請求項２に記載の自動改札機は、空間部に照明器具を設けたことを特徴としている。
本発明の請求項３に記載の自動改札機は、空間部には、所定の内容を案内する案内板を設けたことを特徴としている。
本発明の請求項４に記載の自動改札機は、案内板の内側に照明器具を設けたことを特徴としている。
本発明の請求項５に記載の自動改札機は、空間部には、立体的な造形物が配置されるものであることを特徴としている。
本発明の請求項６に記載の自動改札機は、自動改札機の本体は、無線通信機能を備えたＩＣカードからなる非接触券を処理する非接触式であることを特徴としている。
本発明の請求項７に記載の自動改札機は、自動改札機の本体は、双方向型であることを特徴としている。
【０００７】
【発明の実施の形態】
以下、本発明の実施の形態を図面に基づいて説明する。図１は、一実施の形態に係る自動改札機の本体（以下、「改札機本体」という。）Ｇ1 を形成する一対の筐体のうちの一方の筐体Ｈの斜視図、図２は、その筐体Ｈを改札通路Ｐ側から見た側面図である。
【０００８】
この改札機本体Ｇ1 は、無線通信機能を備えたＩＣカードからなる図示しない非接触券を処理することのできる非接触式として示されている。したがって、筐体Ｈの改札通路Ｐの入口側上面には、非接触券と交信するためのアンテナ部ａが設けられているとともに、その非接触券との交信内容やその非接触券の残額情報等を利用者に案内する表示画面１が設けられている。また、筐体Ｈの改札通路Ｐの入口側端面上部には、改札機本体Ｇ1 の稼動状態を利用者に報知する案内部２が設けられている。
【０００９】
図中、Ｂはセンサ取付ボックスであって、筐体Ｈの上面で、かつ、改札通路Ｐと反対側に設けられ、その改札通路Ｐに沿って設けられている。このセンサ取付ボックスＢ内には、反射型センサからなる人間検知器Ｓ1 〜Ｓ3 が改札通路Ｐの入口側、中央部及び出口側にそれぞれ内蔵されていて、改札通路Ｐ内の大人の利用者を検知することができるように構成されている。すなわち、この反射型センサからなる人間検知器Ｓ1 〜Ｓ3 は、改札通路Ｐの床面から所定の高さに向けて光線を照射する発光素子と、その照射された光線が物体（利用者）に当たって反射してきた光線（反射光）を受光する受光素子とにより構成されている。また、Ｓ10〜Ｓ15は、光電素子からなる透過型センサからなる人間検知器であって、筐体Ｈと対になる図示しない筐体間の改札通路Ｐ側に所定の間隔を保って設けられていて、改札通路Ｐ内の利用者位置を検知することができるように構成されている。そして、これら透過型センサからなる人間検知器Ｓ10〜Ｓ15で検知され、かつ、上述の反射型センサからなる人間検知器Ｓ1 〜Ｓ3 で検知されないときは、その利用者は子供（小児）の利用者と判定される。
【００１０】
図中、Ｄ1 ，Ｄ2 は、改札通路Ｐを開閉する、筐体Ｈの側面に設けられたドアであり、これらドアＤ1 ，Ｄ2 のうち、ドアＤ1 は改札通路Ｐの出口側に設けられ、ドアＤ2 はその入口側に設けられている。そして、これらドアＤ1 ，Ｄ2 は、改札機本体Ｇ1 を統括的に制御する図示しない制御器により駆動されるように構成されている。なお、図示しない他方の筐体にも、筐体ＨのドアＤ1 ，Ｄ2 に対応した位置にドアが設けられている。また、ドアＤ2 は、改札機本体Ｇ1 が稼動を停止したときに閉じられるドアであり、さらに、改札機本体Ｇ1 がノーマルオープン型のときや双方向型のときは、このドアＤ2 は、図１の矢印方向と反対方向から進入してくる利用者に対して改札通路Ｐの出口側のドアとなる。本実施の形態では、改札機本体Ｇ1 を図１の矢印で示される方向の利用者を処理する専用型とされている。
【００１１】
上記構成の筐体Ｈを改札通路Ｐを挾んで一対配置したときは、入場用及び出場用にも用いることのできる双方向型の自動改札機となる。また、図示される筐体Ｈからアンテナ部ａ及び表示画面１を省略した筐体を改札通路Ｐを挾んで配置したときは、入場用又は出場用の専用型の自動改札機となる。
【００１２】
図中、イは、開口部であって、筐体Ｈの改札通路Ｐ側の側面下部に貫通して、すなわち、筐体Ｈを中間にした反対側の改札通路Ｐに通じる空間として形成されている。この開口部イの大きさは、筐体Ｈが所定の強度を保てる範囲で、かつ、その筐体Ｈ内にドアＤ1 ，Ｄ2 の駆動機構や制御機器類を収納できる容積を確保して、可能な限り大きくあけられる。また、その開口部イの形状は、図示のように長方形ではなく、円形や楕円、あるいは多角形であってもよい。これについては、後に図５及び図６を用いても説明する。
【００１３】
図中、１０は、開口部イの天井側に設けられた本発明の照明器具に相当する長管型の蛍光灯である。この筐体Ｈは、開口部イを有しているだけで従来よりも改札通路Ｐが明るくなる特長があるが、このように、蛍光灯１０を設けると、より改札通路Ｐを明るくすることができる。
【００１４】
図３に示される改札機本体Ｇ2 は、開口部イに案内板１１を設けた例である。この案内板１１は、半透明材の表面に所定の案内文字（図示の例ではデパートの広告文字）等が記載されて筐体Ｈの側面と同一面に配置されるとともに、その内部には、図示しないが蛍光灯が設けられている。この場合は、利用者に対して所定の案内を効果的に行うことができるとともに、改札通路Ｐを照明することもできる。
【００１５】
図４に示される改札機本体Ｇ3 は、開口部イにその改札機本体Ｇ3 の設置駅近辺の名所旧跡に係る模型１２を配置した例である。この場合も、模型１２に照明が施されるので、改札通路Ｐを照明することができるとともに、利用者を楽しませることができる。
【００１６】
図５は、開口部を門型の開口部ロとした例である。この場合も、その開口部ロの天井側に蛍光灯１０が設けられる。したがって、改札通路Ｐを明るくすることができる。また、この門型の開口部ロの場合も、その空間に案内板（図３参照）を設けたり、あるいは、模型（図４参照）を設置したりすることができる。
【００１７】
図６は、開口部を筐体Ｈの両側に分けて、すなわち、改札通路の入口側及び出口側にそれぞれ開口部ハ，ハを設けた例である。この場合も、各開口部ハ，ハに照明具を設けることができる。なお、この図６では、開口部ハ，ハに植木鉢１３，１３が設けられている。このように、開口部ハに植木鉢１３，１３が設けられると、利用者を楽しませることができる。また、開口部ハ及び上述した各開口部イ，ロには、植木鉢以外に彫刻等の装飾物（本発明では、植木鉢や装飾物を含めて造形物としている。）を配置するようにしてもよい。もちろん、開口部イ，ロ，ハ内には何も設けないようにしてもよく、又は、その開口部を透明、半透明あるいは不透明のカバーで覆うこともできる。
【００１８】
図７（ａ）は、上述した筐体Ｈの背面を２個合わせて、いわゆる背中合わせをして改札機本体Ｇ6 とした例であり、同図（ｂ）は、同図（ａ）の平面図である。この場合であっても、両改札通路Ｐ，Ｐに通じる開口部イ，イが形成される。このように、２つの開口部イ，イが形成されるときは、いずれか一方の筐体Ｈのみに照明器具（蛍光灯）を設けることができる。なお、この図７（ａ），（ｂ）に示される改札機本体Ｇ6 を改札通路Ｐを挾んで配置すると、入場及び出場の両方の処理ができる双方向型の自動改札機を簡単に作ることができる。
【００１９】
上述の例では、各改札機本体Ｇ1 〜Ｇ6 は、非接触式としたが、磁気券を処理する内部にカードハンドラを備えた投入式とすることもできる。また、非接触券も磁気券も処理できる兼用式とすることもできる。しかし、上述のように、非接触式としたときは、筐体Ｈ内にカードハンドラや乗車券を回収するための回収箱等を収納する必要がないので、容易に開口部を設けることができる。
【００２０】
【発明の効果】
本発明の請求項１に記載の自動改札機は、改札機本体を形成する筐体の改札通路側の一部に反対側に貫通する空間部を設けたので、改札機本体の軽量化を図ることができるとともに、改札通路を明るくすることができる。
本発明の請求項２に記載の自動改札機は、空間部に照明器具を設けたので、改札通路をより明るくすることができる。
本発明の請求項３に記載の自動改札機は、空間部には、所定の内容を案内する案内板を設けたので、自動改札機の案内性を高めることができる。
本発明の請求項４に記載の自動改札機は、案内板の内側に照明器具を設けたので、改札通路をより明るくすることができる。
本発明の請求項５に記載の自動改札機は、空間部には、立体的な造形物が配置されるので、利用者を楽しませることができる。
本発明の請求項６に記載の自動改札機は、改札機本体を無線通信機能を備えたＩＣカードからなる非接触券を処理する非接触式としたので、開口部をより設けやすくなる特長がある。
本発明の請求項７に記載の自動改札機は、改札機本体を双方向型としたので、双方向型であっても改札通路を明るくすることができる。
【図面の簡単な説明】
【図１】本発明の一実施の形態に係る改札機本体の斜視図である。
【図２】図１を改札通路方向から見た側面図である。
【図３】開口部を案内板としたときの側面図である。
【図４】開口部を水槽としたときの側面図である。
【図５】開口部を他の形にしたときの斜視図である。
【図６】開口部をさらに他の形にしたときの斜視図である。
【図７】（ａ）は、改札機本体を双方向型としたときの斜視図、（ｂ）は、（ａ）の平面図である。
【符号の説明】
Ｇ1 〜Ｇ6   自動改札機の本体（改札機本体）
Ｈ  筐体
ａ  アンテナ部
１  表示画面
Ｓ1 〜Ｓ3 、Ｓ10〜Ｓ15  人間検知器
Ｄ1 ，Ｄ2   ドア
Ｐ  改札通路
イ，ロ，ハ  開口部
１０  蛍光灯（照明器具）
１１  案内板
１２  模型
１３  植木鉢
【図１】
2004192418.tif 000003
【図２】
2004192418.tif 000004
【図３】
2004192418.tif 000005
【図４】
2004192418.tif 000006
【図５】
2004192418.tif 000007
【図６】
2004192418.tif 000008
【図７】
2004192418.tif 000009
【手続補正書】
【提出日】平成15年2月17日(2003.2.17)
【手続補正１】
【補正対象書類名】明細書
【補正対象項目名】０００１
【補正方法】変更
【補正の内容】
【０００１】
【発明の属する技術分野】
本発明は自動改札機に係り、特に、自動改札機の本体の軽量化と利用者に対する案内性を向上させたものに関する。